(57)【要約】【課題】底面部が複数の底面片部により構成され、折り畳み可能な紙製箱で、折り畳んだ状態の場合に全体の厚みを十分薄くすることができるとともに、底面部を構成する底面片部において隣接する底面片部を貼り合わせる際に貼りずれを生じるおそれが少ない紙製箱を提供する。【解決手段】側面部１０、１２、１４、１６と、底面片部３２、３４、３６、３８との間に二重折曲線４０、５０、６０、７０が設けられ、二重折曲線は、直線状の折曲線４２、５２、６２、７２と、端部に行くに従い細くなる傾斜折曲線が設けられている折曲線４４、５４、６４、７４とを有している。例えば、折曲線４４は、直線状部４４ａとその両側に設けられた傾斜部４４ｂ、４４ｃを有している。【選択図】        図１
2008133013.tif 000002
【特許請求の範囲】
【請求項１】
紙製箱であって、
紙製箱の側面を形成する複数の側面部と、
紙製箱の底面を形成する底面部で、該複数の側面部における各側面部の下端から二重折曲線を介して連設された底面片部を組み合わせることにより構成され、紙製箱を折り畳んだ状態では、底面片部が複数の側面部により囲まれた空間内に収納される底面部と、
を有し、
該二重折曲線が、第１折曲線と第２折曲線とから形成され、
該第１折曲線が、側面部の下端に沿って形成されて直線状を呈し、
該第２折曲線が、第１折曲線よりも底面片部側に設けられ、その端部分において、第１折曲線との間隔が第２折曲線の端部に行くに従い細くなる傾斜折曲線が設けられていることを特徴とする紙製箱。
【請求項２】
上記第２折曲線における傾斜折曲線以外の部分は、第１折曲線と略平行に設けられていることを特徴とする請求項１に記載の紙製箱。
【請求項３】
紙製箱であって、
紙製箱の側面を形成する方形状の第１側面部と、
紙製箱の側面を形成し、第１側面部に折れ線を介して設けられた方形状の第２側面部と、
紙製箱の側面を形成し、第２側面部に折れ線を介して設けられた、第１側面部と略同大同形状の第３側面部と、
紙製箱の側面を形成し、第３側面部に折れ線を介して設けられた、第２側面部と略同大同形状の第４側面部と、
紙製箱の底面を形成する底面部で、
第１側面部の下端から第１二重折曲線を介して設けられた第１底面片部と、
第２側面部の下端から第２二重折曲線を介して設けられ、相対する第４側面部と掛止するための先端部を有するとともに、第１底面片部側の一部が折曲線を介して第１底面片部に固定されている第２底面片部と、
第３側面部の下端から第３二重折曲線を介して設けられた第３底面片部と、
第４側面部の下端から第４二重折曲線を介して設けられ、相対する第２側面部と掛止するための先端部を有するとともに、第３底面片部側の一部が折曲線を介して第３底面片部に固定されている第４底面片部と、を有し、紙製箱の組立て状態においては、第２底面片部と第４底面片部とを互いに掛止させることにより略平板状に形成され、紙製箱を折り畳んだ状態では、４つの上記底面片部が４つの上記側面部により囲まれた空間内に収納される底面部と、
を有し、
上記各二重折曲線が、第１折曲線と第２折曲線とから形成され、
上記第１折曲線が、上記側面部の下端に沿って形成されて直線状を呈し、
上記第２折曲線が、第１折曲線よりも底面片部側に設けられ、その両側において、第１折曲線との間隔が第２折曲線の端部に行くに従い細くなる傾斜折曲線が設けられ、両側の傾斜折曲線間には、第１折曲線と略平行な直線状折曲線が設けられていることを特徴とする紙製箱。
【請求項４】
紙製箱であって、
紙製箱の側面を形成する方形状の第１側面部と、
紙製箱の側面を形成し、第１側面部に折れ線を介して設けられた方形状の第２側面部と、
紙製箱の側面を形成し、第２側面部に折れ線を介して設けられた、第１側面部と略同大同形状の第３側面部と、
紙製箱の側面を形成し、第３側面部に折れ線を介して設けられた、第２側面部と略同大同形状の第４側面部と、
紙製箱の底面を形成する底面部で、
第１側面部の下端から第１二重折曲線を介して設けられた第１底面片部と、
第２側面部の下端から第２二重折曲線を介して設けられ、相対する第４側面部と掛止するための先端部を有するとともに、第１底面片部側の一部が折曲線を介して第１底面片部に固定されている第２底面片部と、
第３側面部の下端から第３二重折曲線を介して設けられた第３底面片部と、
第４側面部の下端から第４二重折曲線を介して設けられ、相対する第２側面部と掛止するための先端部を有するとともに、第３底面片部側の一部が折曲線を介して第３底面片部に固定されている第４底面片部と、を有し、紙製箱の組立て状態においては、第２底面片部と第４底面片部とを互いに掛止させることにより略平板状に形成され、紙製箱を折り畳んだ状態では、４つの上記底面片部が４つの上記側面部により囲まれた空間内に収納される底面部と、
を有し、
上記各二重折曲線が、第１折曲線と第２折曲線とから形成され、
上記第１折曲線が、上記側面部の下端に沿って形成されて直線状を呈し、
上記第２折曲線が、第１折曲線よりも底面片部側に設けられ、少なくとも、第１二重折曲線の第２折曲線における第２二重折曲線側の端部分と、第２二重折曲線の第２折曲線における第１二重折曲線側の端部分と、第３二重折曲線の第２折曲線における第４二重折曲線側の端部分と、第４二重折曲線の第２折曲線における第３二重折曲線側の端部分とにおいて、第１折曲線との間隔が第２折曲線の端部に行くに従い細くなる傾斜折曲線が設けられ、上記各第２折曲線における傾斜折曲線以外の部分は、第１折曲線と略平行に設けられていることを特徴とする紙製箱。
【請求項５】
上記各折曲線は、紙製箱の外側又は内側に罫線を形成することにより形成されていることを特徴とする請求項１又は２又は３又は４に記載の紙製箱。
【発明の詳細な説明】
【技術分野】
【０００１】
本発明は、紙製箱に関するものであり、特に、段ボール材により構成した箱体に関するものである。
【背景技術】
【０００２】
従来より、紙製箱を構成する各面部間の境界には、罫線が形成され、この罫線により折曲線が形成されている。ここで、従来の紙製箱の例を説明すると、図６、図７に示すように、紙製箱１０５は、側面部１１０と、側面部１１２と、側面部１１４と、側面部１１６と、糊代部１１８と、蓋部１２０と、上面片部１２４、１２６と、底面部１３０とを有している。また、底面部１３０は、底面片部１３２と、底面片部１３４と、底面片部１３６と、底面片部１３８とを有し、底面片部１３２は、側面部１１０の下端から連設され、底面片部１３４は、側面部１１２の下端から連設され、底面片部１３６は、側面部１１４の下端から連設され、底面片部１３８は、側面部１１６の下端から連設されている。底面片部１３２は、底面片部本体１３２ａと、折曲片部１３２ｂとを有し、折曲片部１３２ｂには、底面片部１３４が重なった状態で糊付けされる。同様に、底面片部１３６は、底面片部本体１３６ａと、折曲片部１３６ｂとを有し、折曲片部１３６ｂには、底面片部１３８が重なった状態で糊付けされる。
【０００３】
そして、側面部と底面片部との間の境界には、１本の直線状の折曲線が設けられているのが一般的である。すなわち、側面部１１０と底面片部１３２の間には、折曲線１４０が直線状に設けられ、側面部１１２と底面片部１３４の間には、折曲線１５０が直線状に設けられ、側面部１１４と底面片部１３６の間には、折曲線１６０が直線状に設けられ、側面部１１６と底面片部１３８の間には、折曲線１７０が直線状に設けられている。これらの折曲線１４０、１５０、１６０、１７０は、紙製箱１０５の内側又は外側から罫線を形成することにより形成される。
【０００４】
図６に示す紙製箱１０５は、相対する底面片部１３２と底面片部１３６とを互いに掛止させることにより箱体として組み立てられ、また、底面片部１３２と底面片部１３６との掛止を解除することにより紙製箱１０５を平板状に折り畳むことが可能となる。
【０００５】
なお、図６において、一点鎖線は山折り線を示し、二点鎖線は谷折り線を示している。
【０００６】
また、二重折曲線は、特許文献１における第２の折曲線Ｌ３、Ｌ４のように、ある板状部と他の板状部とを平行に折り返した状態にする際に用いられるのが一般的である。
【特許文献１】特開平８−２４４７５５公報
【発明の開示】
【発明が解決しようとする課題】
【０００７】
しかし、図６、図７に示す従来の構成の紙製箱の場合には、側面部と底面片部との間には１本の直線状の折曲線のみが設けられているのみであるので、紙製箱１０５を折り畳んだ場合に、底面片部が側面部に対して十分折り畳むことができず、これにより、図８に示すように、紙製箱を十分に折り畳むことができず、折り畳んだ状態の紙製箱の厚みが厚くなってしまう。特に、折り畳んだ状態の紙製箱の底面側の両側の位置において十分に折り畳むことができず厚くなってしまうため、紙製箱を十分に折り畳むことができない。
【０００８】
また、紙製箱の組立てに際しても、側面部と底面片部との間に１本の折曲線があるのみであるので、底面片部が側面部に対して十分折り曲げることができず、隣接する底面片部を貼り合わせる際に、貼りずれが生じるおそれがある。すなわち、底面片部１３４、１３８を折曲片部１３２ｂ、１３６ｂに貼り付ける際に、本来の貼り位置とはずれて貼られてしまうおそれがある。
【０００９】
そこで、本発明は、底面部が複数の底面片部により構成され、折り畳み可能な紙製箱で、折り畳んだ状態の底面側の両側の部分が厚くなることを解消することにより、全体の厚みを十分薄くすることができるとともに、底面部を構成する底面片部において隣接する底面片部を貼り合わせる際に貼りずれを生じるおそれが少ない紙製箱を提供することを目的とするものである。
【課題を解決するための手段】
【００１０】
本発明は上記問題点を解決するために創作されたものであって、第１には、紙製箱であって、紙製箱の側面を形成する複数の側面部と、紙製箱の底面を形成する底面部で、該複数の側面部における各側面部の下端から二重折曲線を介して連設された底面片部を組み合わせることにより構成され、紙製箱を折り畳んだ状態では、底面片部が複数の側面部により囲まれた空間内に収納される底面部と、を有し、該二重折曲線が、第１折曲線と第２折曲線とから形成され、該第１折曲線が、側面部の下端に沿って形成されて直線状を呈し、該第２折曲線が、第１折曲線よりも底面片部側に設けられ、その端部分において、第１折曲線との間隔が第２折曲線の端部に行くに従い細くなる傾斜折曲線が設けられていることを特徴とする。
【００１１】
この第１の構成の紙製箱においては、上記構成の二重折曲線が設けられ、第２折曲線の端部分において第１折曲線との間隔が第２折曲線の端部に行くに従い細くなる傾斜折曲線が設けられているので、折り畳んだ際の底面片部間の角部を深く折り畳むことができるので、折り畳んだ状態の底面側の両側の部分が厚くなることを解消することができ、これにより、折り畳まれた状態の紙製箱を十分に薄く折り畳むことが可能となる。また、折り畳んだ際の底面片部間の角部を深く折り畳むことができるので、折り畳んだ際の底面片部間の角部が損傷することがない。また、上記構成の二重折曲線が形成されているので、紙製箱の製造に際して接着ずれを防止することができ、箱としての完成度を向上させる。
【００１２】
また、第２には、上記第１の構成において、上記第２折曲線における傾斜折曲線以外の部分は、第１折曲線と略平行に設けられていることを特徴とする。
【００１３】
また、第３には、紙製箱であって、紙製箱の側面を形成する方形状の第１側面部と、紙製箱の側面を形成し、第１側面部に折れ線を介して設けられた方形状の第２側面部と、紙製箱の側面を形成し、第２側面部に折れ線を介して設けられた、第１側面部と略同大同形状の第３側面部と、紙製箱の側面を形成し、第３側面部に折れ線を介して設けられた、第２側面部と略同大同形状の第４側面部と、紙製箱の底面を形成する底面部で、第１側面部の下端から第１二重折曲線を介して設けられた第１底面片部と、第２側面部の下端から第２二重折曲線を介して設けられ、相対する第４側面部と掛止するための先端部を有するとともに、第１底面片部側の一部が折曲線を介して第１底面片部に固定されている第２底面片部と、第３側面部の下端から第３二重折曲線を介して設けられた第３底面片部と、第４側面部の下端から第４二重折曲線を介して設けられ、相対する第２側面部と掛止するための先端部を有するとともに、第３底面片部側の一部が折曲線を介して第３底面片部に固定されている第４底面片部と、を有し、紙製箱の組立て状態においては、第２底面片部と第４底面片部とを互いに掛止させることにより略平板状に形成され、紙製箱を折り畳んだ状態では、４つの上記底面片部が４つの上記側面部により囲まれた空間内に収納される底面部と、を有し、上記各二重折曲線が、第１折曲線と第２折曲線とから形成され、上記第１折曲線が、上記側面部の下端に沿って形成されて直線状を呈し、上記第２折曲線が、第１折曲線よりも底面片部側に設けられ、その両側において、第１折曲線との間隔が第２折曲線の端部に行くに従い細くなる傾斜折曲線が設けられ、両側の傾斜折曲線間には、第１折曲線と略平行な直線状折曲線が設けられていることを特徴とする。
【００１４】
この第３の構成の紙製箱においては、上記構成の二重折曲線が設けられ、第２折曲線の端部分において第１折曲線との間隔が第２折曲線の端部に行くに従い細くなる傾斜折曲線が設けられているので、折り畳んだ際の底面片部間の角部を深く折り畳むことができ、すなわち、第１底面片部と第２底面片部間の角部や、第３底面片部と第４底面片部間の角部を深く折り畳むことができるので、折り畳んだ状態の底面側の両側の部分が厚くなることを解消することができ、これにより、折り畳まれた状態の紙製箱を十分に薄く折り畳むことが可能となる。また、折り畳んだ際の底面片部間の角部を深く折り畳むことができるので、折り畳んだ際の底面片部間の角部が損傷することがない。また、上記構成の二重折曲線が形成されているので、紙製箱の製造に際して接着ずれを防止することができ、箱としての完成度を向上させる。
【００１５】
また、第４には、紙製箱であって、紙製箱の側面を形成する方形状の第１側面部と、紙製箱の側面を形成し、第１側面部に折れ線を介して設けられた方形状の第２側面部と、紙製箱の側面を形成し、第２側面部に折れ線を介して設けられた、第１側面部と略同大同形状の第３側面部と、紙製箱の側面を形成し、第３側面部に折れ線を介して設けられた、第２側面部と略同大同形状の第４側面部と、紙製箱の底面を形成する底面部で、第１側面部の下端から第１二重折曲線を介して設けられた第１底面片部と、第２側面部の下端から第２二重折曲線を介して設けられ、相対する第４側面部と掛止するための先端部を有するとともに、第１底面片部側の一部が折曲線を介して第１底面片部に固定されている第２底面片部と、第３側面部の下端から第３二重折曲線を介して設けられた第３底面片部と、第４側面部の下端から第４二重折曲線を介して設けられ、相対する第２側面部と掛止するための先端部を有するとともに、第３底面片部側の一部が折曲線を介して第３底面片部に固定されている第４底面片部と、を有し、紙製箱の組立て状態においては、第２底面片部と第４底面片部とを互いに掛止させることにより略平板状に形成され、紙製箱を折り畳んだ状態では、４つの上記底面片部が４つの上記側面部により囲まれた空間内に収納される底面部と、を有し、上記各二重折曲線が、第１折曲線と第２折曲線とから形成され、上記第１折曲線が、上記側面部の下端に沿って形成されて直線状を呈し、上記第２折曲線が、第１折曲線よりも底面片部側に設けられ、少なくとも、第１二重折曲線の第２折曲線における第２二重折曲線側の端部分と、第２二重折曲線の第２折曲線における第１二重折曲線側の端部分と、第３二重折曲線の第２折曲線における第４二重折曲線側の端部分と、第４二重折曲線の第２折曲線における第３二重折曲線側の端部分とにおいて、第１折曲線との間隔が第２折曲線の端部に行くに従い細くなる傾斜折曲線が設けられ、上記各第２折曲線における傾斜折曲線以外の部分は、第１折曲線と略平行に設けられていることを特徴とする。
【００１６】
この第４の構成の紙製箱においては、上記構成の二重折曲線が設けられ、第２折曲線の端部分において第１折曲線との間隔が第２折曲線の端部に行くに従い細くなる傾斜折曲線が設けられているので、折り畳んだ際の底面片部間の角部を深く折り畳むことができ、すなわち、第１底面片部と第２底面片部間の角部や、第３底面片部と第４底面片部間の角部を深く折り畳むことができるので、折り畳んだ状態の底面側の両側の部分が厚くなることを解消することができ、これにより、折り畳まれた状態の紙製箱を十分に薄く折り畳むことが可能となる。また、折り畳んだ際の底面片部間の角部を深く折り畳むことができるので、折り畳んだ際の底面片部間の角部が損傷することがない。また、上記構成の二重折曲線が形成されているので、紙製箱の製造に際して接着ずれを防止することができ、箱としての完成度を向上させる。
【００１７】
また、第５には、上記第１から第４までのいずれかの構成において、上記各折曲線は、紙製箱の外側又は内側に罫線を形成することにより形成されていることを特徴とする。
【発明の効果】
【００１８】
本発明に基づく紙製箱によれば、側面部と底面片部との間に二重折曲線が設けられ、第２折曲線の端部分において第１折曲線との間隔が第２折曲線の端部に行くに従い細くなる傾斜折曲線が設けられているので、折り畳んだ際の底面片部間の角部を深く折り畳むことができるので、折り畳んだ状態の底面側の両側の部分が厚くなることを解消することができ、これにより、折り畳まれた状態の紙製箱を十分に薄く折り畳むことが可能となる。また、折り畳んだ際の底面片部間の角部を深く折り畳むことができるので、折り畳んだ際の底面片部間の角部が損傷することがない。また、上記構成の二重折曲線が形成されているので、紙製箱の製造に際して接着ずれを防止することができ、箱としての完成度を向上させる。
【発明を実施するための最良の形態】
【００１９】
本発明においては、底面部が複数の底面片部により構成され、折り畳み可能な紙製箱で、折り畳んだ状態の場合に全体の厚みを十分薄くすることができるとともに、底面部を構成する底面片部において隣接する底面片部を貼り合わせる際に貼りずれを生じるおそれが少ない紙製箱を提供するという目的を以下のようにして実現した。
【００２０】
本発明に基づく紙製箱５は、図１〜図４に示すように構成され、１枚の紙材（具体的には、段ボール材）を組み立てることにより形成されていて、側面部１０と、側面部１２と、側面部１４と、側面部１６と、糊代部１８と、蓋部２０と、上面片部２４、２６と、底面部３０とを有している。なお、図３、図４において、一点鎖線は山折り線を示し、二点鎖線は谷折り線を示している。また、本実施例における紙製箱５を構成する段ボールは、いわゆるＥ段であるが、他の厚みの段ボールであってもよい。
【００２１】
ここで、側面部１０（第２側面部）と側面部１２（第１側面部）と側面部１４（第４側面部）と側面部１６（第３側面部）は、方形状を呈し、側面部１０と側面部１４とは同大同形状に形成され、側面部１２と側面部１６とは同大同形状に形成されている。また、蓋部２０は、蓋部本体２１と掛止片部２２とを有し、蓋部本体２１は、方形状を呈している。
【００２２】
また、底面部３０は、底面片部３２と、底面片部３４と、底面片部３６と、底面片部３８とを有し、底面片部３２は、側面部１０の下端から二重折曲線４０（第２二重折曲線）を介して連設され、底面片部３４は、側面部１２の下端から二重折曲線５０（第１二重折曲線）を介して連設され、底面片部３６は、側面部１４の下端から二重折曲線６０（第４二重折曲線）を介して連設され、底面片部３８は、側面部１６の下端から二重折曲線７０（第３二重折曲線）を介して連設されている。
【００２３】
ここで、二重折曲線４０は、折曲線４２（第１折曲線）と、折曲線４４（第２折曲線）とから構成され、折曲線４２は、直線状に形成され、側面部１０の下端に形成されている。また、折曲線４４は、折曲線４２よりも底面片部３２側に形成され、底面片部３２の側面部１０側の端部に形成されていて、略直線状を呈し、両端が折曲線４２側に傾斜した構成となっている。つまり、折曲線４４は、直線状部４４ａ（直線状折曲線）と、直線状部４４ａの一方の端部に形成された傾斜部４４ｂ（傾斜折曲線）と、直線状部４４ａの他方の端部に形成された傾斜部４４ｃ（傾斜折曲線）とを有し、直線状部４４ａは、折曲線４２と所定の間隔を介して略平行（平行としてもよい）に形成されている。また、傾斜部４４ｂ、４４ｃは、直線状部４４ａの両端から連設され、折曲線４２の端部に向けて直線状部４４ａに対して傾斜した構成となっていて、傾斜部４４ｂと傾斜部４４ｃの端部は、折曲線４２の端部と一致している。なお、傾斜部４４ｂと傾斜部４４ｃの長さαは、２０ｍｍ〜４０ｍｍ（好適には、２５ｍｍ〜３５ｍｍ）となっている。なお、上記のように、側面部１０と底面片部３２間には、二重折曲線が設けられていることから、側面部１０と底面片部３２間には、折曲線４２と折曲線４４とで囲まれた中間部８０が形成されている。
【００２４】
また、二重折曲線５０は、折曲線５２（第１折曲線）と、折曲線５４（第２折曲線）とから構成され、折曲線５２は、直線状に形成され、側面部１２の下端に形成されている。また、折曲線５４は、折曲線５２よりも底面片部３４側に形成され、底面片部３４の側面部１２側の端部に形成されていて、略直線状を呈し、両端が折曲線５２側に傾斜した構成となっている。つまり、折曲線５４は、直線状部５４ａ（直線状折曲線）と、直線状部５４ａの一方の端部に形成された傾斜部５４ｂ（傾斜折曲線）と、直線状部５４ａの他方の端部に形成された傾斜部５４ｃ（傾斜折曲線）とを有し、直線状部５４ａは、折曲線５２と所定の間隔を介して略平行（平行としてもよい）に形成されている。また、傾斜部５４ｂ、５４ｃは、直線状部５４ａの両端から連設され、折曲線５２の端部に向けて直線状部５４ａに対して傾斜した構成となっていて、傾斜部５４ｂと傾斜部５４ｃの端部は、折曲線５２の端部と一致している。なお、傾斜部５４ｂと傾斜部５４ｃの長さβは、２０ｍｍ〜４０ｍｍ（好適には、２５ｍｍ〜３５ｍｍ）となっている。なお、上記のように、側面部１２と底面片部３４間には、二重折曲線が設けられていることから、側面部１２と底面片部３４間には、折曲線５２と折曲線５４とで囲まれた中間部８２が形成されている。
【００２５】
また、二重折曲線６０は、二重折曲線４０と同様の構成である。すなわち、二重折曲線６０は、折曲線６２（第１折曲線）と、折曲線６４（第２折曲線）とから構成され、折曲線６２は、直線状に形成され、側面部１４の下端に形成されている。また、折曲線６４は、折曲線６２よりも底面片部３６側に形成され、底面片部３６の側面部１４側の端部に形成されていて、略直線状を呈し、両端が折曲線６２側に傾斜した構成となっている。つまり、折曲線６４は、直線状部６４ａ（直線状折曲線）と、直線状部６４ａの一方の端部に形成された傾斜部６４ｂ（傾斜折曲線）と、直線状部６４ａの他方の端部に形成された傾斜部６４ｃ（傾斜折曲線）とを有している。直線状部６４ａの構成は直線状部４４ａと同様であり、傾斜部６４ｂの構成は傾斜部４４ｂの構成と同様であり、傾斜部６４ｃの構成は傾斜部４４ｃの構成と同様であるので、詳しい説明を省略する。なお、上記のように、側面部１４と底面片部３６間には、二重折曲線が設けられていることから、側面部１４と底面片部３６間には、折曲線６２と折曲線６４とで囲まれた中間部８４が形成されている。
【００２６】
また、二重折曲線７０は、二重折曲線５０と同様の構成である。すなわち、二重折曲線７０は、折曲線７２（第１折曲線）と、折曲線７４（第２折曲線）とから構成され、折曲線７２は、直線状に形成され、側面部１６の下端に形成されている。また、折曲線７４は、折曲線７２よりも底面片部３８側に形成され、底面片部３８の側面部１６側の端部に形成されていて、略直線状を呈し、両端が折曲線７２側に傾斜した構成となっている。つまり、折曲線７４は、直線状部７４ａ（直線状折曲線）と、直線状部７４ａの一方の端部に形成された傾斜部７４ｂ（傾斜折曲線）と、直線状部７４ａの他方の端部に形成された傾斜部７４ｃ（傾斜折曲線）とを有している。直線状部７４ａの構成は直線状部５４ａと同様であり、傾斜部７４ｂの構成は傾斜部５４ｂの構成と同様であり、傾斜部７４ｃの構成は傾斜部５４ｃの構成と同様であるので、詳しい説明を省略する。なお、上記のように、側面部１６と底面片部３８間には、二重折曲線が設けられていることから、側面部１６と底面片部３８間には、折曲線７２と折曲線７４とで囲まれた中間部８６が形成されている。
【００２７】
なお、二重折曲線４０、５０、６０、７０を構成する各折曲線は、紙製箱５の内側（図３においては、裏側）から罫線を形成することにより形成されている。
【００２８】
また、底面片部３２は、二重折曲線４０を介して側面部１０の下端から連設され、底面片部本体３２ａと、折曲片部３２ｂとを有している。底面片部本体３２ａは、二重折曲線４０を介して側面部１０の下端から連設され（厳密には、中間部８０から折曲線４４を介して連設され）、略台形状の形状の本体部３２ａ−１の端部に略台形状の形状の先端部３２ａ−２を連設した形状を呈していて、先端部３２ａ−２の折曲片部３２ｂ側には、傾斜辺が設けられているとともに、本体部３２ａ−１との間で略直角の角部を形成している。また、折曲片部３２ｂは、底面片部本体３２ａの側端から折れ線を介して連設され、略直角二等辺三角形の一方の角部を欠切した形状を呈している。図３において、この折曲片部３２ｂは、底面片部３４に上から重なった状態で糊付けされる。
【００２９】
また、底面片部３４は、二重折曲線５０を介して側面部１２の下端から連設され（厳密には、中間部８２から折曲線５４を介して連設され）、略台形形状を呈している。この底面片部３４には、図３においては、折曲片部３２ｂが上から重なった状態で糊付けされる。つまり、図３における底面片部３４の左側の辺部が底面片部３２における底面片部本体３２ａと折曲片部３２ｂ間の折れ線と一致する状態で糊付けされる。
【００３０】
また、底面片部３６は、底面片部３２と同様の構成であり、二重折曲線６０を介して側面部１４の下端から連設され、底面片部本体３６ａと、折曲片部３６ｂとを有している。底面片部本体３６ａは、二重折曲線６０を介して側面部１４の下端から連設され（厳密には、中間部８４から折曲線６４を介して連設され）、略台形状の形状の本体部３６ａ−１の端部に略台形状の形状の先端部３６ａ−２を連設した形状を呈していて、先端部３６ａ−２の折曲片部３６ｂ側には、傾斜辺が設けられているとともに、本体部３６ａ−１との間で略直角の角部を形成している。また、折曲片部３６ｂは、底面片部３６ａの側端から折れ線を介して連設され、略直角二等辺三角形の一方の角部を欠切した形状を呈している。図３において、この折曲片部３６ｂは、底面片部３８に上から重なった状態で糊付けされる。
【００３１】
また、底面片部３８は、二重折曲線７０を介して側面部１６の下端から連設され（厳密には、中間部８６から折曲線７４を介して連設され）、略台形形状を呈している。この底面片部３８には、図３においては、折曲片部３６ｂが上から重なった状態で糊付けされる。つまり、図３における底面片部３８の左側の辺部が底面片部３６における底面片部本体３６ａと折曲片部３６ｂ間の折れ線と一致する状態で糊付けされる。
【００３２】
上記構成の紙製箱５の使用状態について説明する。紙製箱５を折り畳んだ状態では、底面部３０を構成する各底面片部は、図５に示すように、内側、すなわち、側面部１０〜１６内の空間内に折り畳まれた状態となっていて、紙製箱５全体が略板状に折り畳まれた状態となっている。側面部１０と側面部１４とが互いに平行であるとともに、側面部１２と側面部１６とが互いに平行になっていて、側面部１０と側面部１２とは鋭角をなし、また、側面部１４と側面部１６とは鋭角をなすようにして折り畳まれる。
【００３３】
そして、紙製箱５を組み立てる場合には、隣接し合う側面部が直角となるようにすることにより、側面部に対して折り畳まれていた底面片部が側面部に対して直角になるように回動し、底面片部３２の先端部３２ａ−２と底面片部３６の先端部３６ａ−２とが互いに掛止し合うようにすることにより、平板状の底面部３０が形成され、紙製箱５が組み立てられる。
【００３４】
本実施例の紙製箱５によれば、二重折曲線４０、５０、６０、７０において、底面片部３２、３４、３６、３８側の折曲線の両端が側面部１０、１２、１４、１６側の折曲線側に傾斜することにより、二重折曲線４０、５０、６０、７０の両側が細く形成されているので、図５に示すように、折り畳まれた際に全体の厚みを薄くすることが可能となる。つまり、底面片部３２、３４、３６、３８側の折曲線の両端が傾斜していることにより、折り畳んだ際の底面片部間の角部を深く折り畳むことができ、すなわち、底面片部本体３２ａと折曲片部３２ｂ（及び折曲片部３２ｂに接着された底面片部３４）とが小さい角度となるように畳むことができるとともに、底面片部本体３６ａと折曲片部３６ｂ（及び折曲片部３６ｂに接着された底面片部３８）とが小さい角度となるように畳むことができ、これにより、折り畳んだ状態の底面側の両側の部分が厚くなることを解消することができ、よって、折り畳まれた状態の紙製箱を十分に薄く折り畳むことが可能となる。
【００３５】
また、折り畳んだ際の底面片部間の角部を深く折り畳むことができるので、従来の場合には、無理に薄く折り畳もうとすると、折り畳んだ際の底面片部間の角部（例えば、底面片部３２と底面片部３４間の角部や、底面片部３６と底面片部３８間の角部）が裂けて損傷することがあるが、本実施例の紙製箱５においては、そのようなおそれが小さい。
【００３６】
また、紙製箱５の製造に際して、底面片部３２の折曲片部３２ｂが底面片部３４に接着され、底面片部３６の折曲片部３６ｂが底面片部３８に接着されるが、紙製箱５においては、上記構成の二重折曲線が形成されているので、接着ずれを防止することができる。つまり、接着する際に、糊付けされた紙製箱５を畳んだ状態として押さえつけることにより接着させるが、紙製箱５においては折り畳みが容易であるので、接着ずれを防止することができ、箱としての完成度も向上させることができる。
【００３７】
なお、上記の説明においては、二重折曲線の両側を細くするものとして説明したが、１つの二重折曲線において折り曲げる側の端部のみを細く形成してもよい。例えば、図３の例では、側面部１０と側面部１２とが鋭角をなし、側面部１４と側面部１６とが鋭角をなすように折り畳まれるので、図３における二重折曲線４０の右側の端部と、二重折曲線５０の左側の端部と、二重折曲線６０の右側の端部と、二重折曲線７０の左側の端部のみを細くなるようにし、反対側は、二重折曲線が互いに平行になるように形成してもよい。
【００３８】
また、二重折曲線４０、５０、６０、７０を構成する各折曲線は、紙製箱５の内側（図３においては、裏側）から罫線を形成することにより形成されたものであるとして説明したが、これには限られず、紙製箱５の外側から罫線を形成することにより形成したものでもよく、また、紙製箱５の内側と外側のいずれか一方に罫線を形成し、他方に逆罫線を形成することにより形成したものでもよい。
【図面の簡単な説明】
【００３９】
【図１】本発明の実施例に基づく紙製箱の構成を示す上方斜視図である。
【図２】本発明の実施例に基づく紙製箱の構成を示す下方斜視図である。
【図３】本発明の実施例に基づく紙製箱の構成を示す展開図である。
【図４】図３の要部拡大図である。
【図５】本発明の実施例に基づく紙製箱を折り畳んだ状態を示す斜視図である。
【図６】従来における紙製箱の構成を示す展開図である。
【図７】従来における紙製箱の構成を示す下方斜視図である。
【図８】従来における紙製箱を折り畳んだ状態を示す斜視図である。
【符号の説明】
【００４０】
５、１０５  紙製箱
１０、１２、１４、１６、１１０、１１２、１１４、１１６  側面部
２０、１２０  蓋部
３０、１３０  底面部
３２、３４、３６、３８、１３２、１３４、１３６、１３８  底面片部
３２ａ、３６ａ、１３２ａ、１３６ａ  底面片部本体
３２ｂ、３６ｂ、１３２ｂ、１３６ｂ  折曲片部
４０、５０、６０、７０  二重折曲線
４２、４４、５２、５４、６２、６４、７２、７４  折曲線
４４ａ、５４ａ、６４ａ、７４ａ  直線状部
４４ｂ、４４ｃ、５４ｂ、５４ｃ、６４ｂ、６４ｃ、７４ｂ、７４ｃ  傾斜部
【図１】
2008133013.tif 000003
【図２】
2008133013.tif 000004
【図３】
2008133013.tif 000005
【図４】
2008133013.tif 000006
【図５】
2008133013.tif 000007
【図６】
2008133013.tif 000008
【図７】
2008133013.tif 000009
【図８】
2008133013.tif 000010